(57)【要約】【課題】  獣類の侵入を防止する侵入防止方法及び緑化構造物を提供すること。【解決手段】  法面２上に、植物を生育するための生育基盤３を形成し、この生育基盤３を被覆材４により被覆する。さらに被覆材４の上から、金網５を敷設する。また、被覆材４と金網５との間に、コイルばね６を配設する。このコイルばね６は、獣類により金網５が踏み込まれた際に、その荷重によって撓み、金網５を浮き沈みさせる。【選択図】      図３
2005137258.tif 000002
【特許請求の範囲】
【請求項１】
植物を生育するための生育基盤と、前記生育基盤に敷設された保護網とを用いた獣類の侵入防止方法であって、
前記敷設した保護網の少なくとも複数箇所を前記生育基盤に対して離間するように弾性支持したことを特徴とする獣類の侵入防止方法。
【請求項２】
植物を生育するための生育基盤を被覆する被覆材と、前記被覆材の上に敷設された保護網とを用いた獣類の侵入防止方法であって、
前記敷設した保護網の少なくとも複数箇所を前記被覆材に対して離間するように弾性支持したことを特徴とする獣類の侵入防止方法。
【請求項３】
請求項１又は２に記載の獣類の侵入防止方法において、
前記保護網を、コイルばねによって弾性支持することを特徴とする獣類の侵入防止方法。
【請求項４】
植物を生育するための生育基盤と、前記生育基盤の上に敷設された保護網とを備えた緑化構造物であって、
獣類により前記保護網が踏み込まれた際に、その荷重によって前記保護網を変位させる弾性部材を前記生育基盤と前記保護網との間に設けたことを特徴とする緑化構造物。
【請求項５】
植物を生育するための生育基盤と、前記生育基盤を被覆する被覆材と、前記被覆材の上に敷設された保護網とを備えた緑化構造物であって、
獣類により前記保護網が踏み込まれた際に、その荷重によって前記保護網を変位させる弾性部材を前記被覆材と前記保護網との間に設けたことを特徴とする緑化構造物。
【請求項６】
請求項４又は５に記載の緑化構造物において、
前記弾性部材は、コイルばねであることを特徴とする緑化構造物。
【請求項７】
請求項４〜６のいずれか一つに記載の緑化構造物において、
前記弾性部材は、前記保護網と、前記保護網を前記被覆材又は前記生育基盤に固定するアンカーピンとによって、前記被覆材又は前記生育基盤に対して固定されていることを特徴とする緑化構造物。
【請求項８】
請求項４〜７のいずれか一つに記載の緑化構造物において、
前記弾性部材は、光沢を有することを特徴とする緑化構造物。
【発明の詳細な説明】
【技術分野】
【０００１】
本発明は、獣類の侵入防止方法及び緑化構造物に関する。
【背景技術】
【０００２】
従来より、丘陵・山腹に形成された法面や、崖地等の傾斜地には、傾斜地の安定化及び景観の向上の目的で緑化工が施されている。この緑化工の一つとして、吹付工が広く用いられている。この吹付工では、傾斜地に養生土、堆肥等の有機物又は肥料等と種子とを吹付けて植物の生育基盤を形成した後、一定の養生期間をおいて、前記生育基盤に芝、クローバー、よもぎ、又はハギ類等のカバープラントを生育させる。また、この吹付工としては、例えば、その生育基盤の内部又は上面に、マットや網等を張設して傾斜面の安定化を図る工法がある（例えば、特許文献１参照）。
【特許文献１】特開２０００−０６４２９４号公報
【発明の開示】
【発明が解決しようとする課題】
【０００３】
ところが、このような緑化工が施工された緑化構造物では、カモシカ、ニホンジカ等の偶蹄目類に代表される獣類による被害が問題となっている。つまり、それらの獣類が緑化構造物に侵入すると、緑化工により傾斜地に根付いた植物が踏み荒らされて衰退し、傾斜地が不安定な状態になる。また、それらの獣類は、生育基盤に生育した植物を好んで食べることが知られている。特に偶蹄目類等の獣類は、植物を根こそぎ剥ぎ取って採食する等して、傾斜面に生育する植物を減少させる。このような食害が進行すると、地盤が露出し、崩壊又は滑落が発生しやすくなって、緑化工の効果が消滅してしまう。
【０００４】
この問題に対し、緑化工が施工された傾斜面の周囲に侵入防止柵等を設置して、獣類の侵入を防ぐことが提案されているが、傾斜面の周囲全体に亘って防止柵を設置すると費用が多大となることがある。また、法面によっては、防止柵の設置が困難な場合がある。
【０００５】
本発明は、獣類の侵入を防止する侵入防止方法及び緑化構造物を提供することにある。
【課題を解決するための手段】
【０００６】
上記問題点を解決するために、請求項１に記載の発明は、植物を生育するための生育基盤と、前記生育基盤に敷設された保護網とを用いた獣類の侵入防止方法であって、前記敷設した保護網の少なくとも複数箇所を前記生育基盤に対して離間するように弾性支持したことを要旨とする。
【０００７】
請求項２に記載の発明は、植物を生育するための生育基盤を被覆する被覆材と、前記被覆材の上に敷設された保護網とを用いた獣類の侵入防止方法であって、前記敷設した保護網の少なくとも複数箇所を前記被覆材に対して離間するように弾性支持したことを要旨とする。
【０００８】
請求項３に記載の発明は、請求項１又は２に記載の獣類の侵入防止方法において、前記保護網を、コイルばねによって弾性支持することを要旨とする。
請求項４に記載の発明は、植物を生育するための生育基盤と、前記生育基盤の上に敷設された保護網とを備えた緑化構造物であって、獣類により前記保護網が踏み込まれた際に、その荷重によって前記保護網を変位させる弾性部材を前記生育基盤と前記保護網との間に設けたことを要旨とする。
【０００９】
請求項５に記載の発明は、植物を生育するための生育基盤と、前記生育基盤を被覆する被覆材と、前記被覆材の上に敷設された保護網とを備えた緑化構造物であって、獣類により前記保護網が踏み込まれた際に、その荷重によって前記保護網を変位させる弾性部材を前記被覆材と前記保護網との間に設けたことを要旨とする。
【００１０】
請求項６に記載の発明は、請求項４又は５に記載の緑化構造物において、前記弾性部材は、コイルばねであることを要旨とする。
請求項７に記載の発明は、請求項４〜６のいずれか一つに記載の緑化構造物において、前記弾性部材は、前記保護網と、前記保護網を前記被覆材又は前記生育基盤に固定するアンカーピンとによって、前記被覆材又は前記生育基盤に対して固定されていることを要旨とする。
【００１１】
請求項８に記載の発明は、請求項４〜７のいずれか一つに記載の緑化構造物において、前記弾性部材は、光沢を有することを要旨とする。
（作用）
請求項１，２，４，又は５の発明によれば、前記保護網が弾性支持されるので、獣類が保護網の上を歩いて緑化構造物に侵入を試みた際に、前記保護網がその獣類の動作に追従して浮き沈み（変位）する。その結果、獣類は、保護網上を歩くときに弾力感を感知するとともに、足元が不安定になり歩きづらい状態になる。このため、獣類は警戒して保護網上に侵入しなくなる。従って、獣類により生育基盤に生育した植物が採食される、いわゆる食害を防止することができる。また、獣類が保護網の上を歩き回るのを防止できるため、生育基盤又は生育基盤に生育した植物が踏み荒らされるのを防止することができる。
【００１２】
請求項３又は請求項６の発明によれば、前記保護網は、コイルばねによって弾性支持されるので、弾性支持するための施工が容易となる。
請求項７の発明によれば、前記弾性部材は、前記保護網と同保護網を固定するアンカーピンとによって、前記被覆材又は前記生育基盤に固定されるので、弾性部材を固定する固定手段が必要ない。このため、部品点数を減らすことができる。
【００１３】
請求項８の発明によれば、弾性部材は光沢を有するので、獣類に視認されやすいとともに、獣類に緑化構造物に侵入するのを警戒させることができる。
【発明の効果】
【００１４】
本発明によれば、獣類の侵入を防止する侵入防止方法及び緑化構造物を提供することができる。
【発明を実施するための最良の形態】
【００１５】
以下、本発明を具体化した一実施形態を図１〜図４にしたがって説明する。図１は、緑化工を完了した傾斜面を有する地山の説明図である。図２は、同地山の部分側面図、図３及び図４は、図２におけるＡ−Ａ線及びＢ−Ｂ線における地山の断面をそれぞれ示している。
【００１６】
本実施形態の緑化工では、まず、地山１に形成された法面２に対して混練物を吹付ける（第１工程）。この混練物は、培土、バーク堆肥等の肥料、接合剤、及び種子等を混合して作成する。そして、この混練物をスクイズポンプ又は圧縮空気等を使用して法面２（図３及び図４参照）に吹付ける。混練物に混合された接合剤は、培土・肥料等を互いに固着させる機能を備え、混練物が雨風に晒されても法面２から流出する混練物の量を最小限にする。
【００１７】
法面２に吹付けられた混練物は、法面２に沿って造成して図３及び図４に示す生育基盤
３を形成する。生育基盤３は、少なくともその法面２上に植物が生育できるだけの厚みを有している。具体的には、生育基盤３は、１０〜１００ｍｍの厚みになっている。
【００１８】
生育基盤３を形成すると、その生育基盤３の上に被覆材４を敷設する（第２工程）。図２に示すように、被覆材４は、藁を紐Ｒによりすだれ状に編んで形成されている。この被覆材４は保温性及び保湿性が高いため、被覆材４によって被覆された生育基盤３は、種子が発芽しやすい温度及び湿度に保持される。この被覆材４は、前記したように藁から形成されているため、施工後１〜２年間のうちに微生物によって分解され、植物の養分となり、生育基盤３の一部となる。従って、被覆材４は、施工時に、法面２や地山の硬さ等に応じて設定される生育基盤３の厚みを減じる機能を備えている。
【００１９】
また、被覆材４を敷設する際は、図１に示すように、法面２の上部の法肩２ａに打ち込まれた複数のアンカーピンＡに、その紐Ｒを引っ掛ける。これにより、被覆材４は生育基盤３上に垂らされた状態となる。
【００２０】
次に、被覆材４の上に金網５を敷設し、保護網としての金網５を法面２に対して固定する（第３工程）。金網５は、亜鉛メッキ、アルミニウム合金塗装等を施した鉄製の金網であって光沢を有している。また、金網５は、図２に示すように、例えば、菱形の網目になすように編み込まれており、各網目の交点部は溶着されていない。また、金網５を構成する鉄線は、線径が１．６〜３．２ｍｍになっている。この線径が１．６ｍｍ未満だと、例えば、ニホンジカ等の成獣の体重（５０〜８０ｋｇ）により変形してしまう。また、線径が３．２ｍｍ超である場合、地山の凹凸に合わせた施工が難しくなる。従って、金網５の線径は上記したように、１．６〜３．２ｍｍの範囲が好適である。
【００２１】
さらに、金網５の各網目の長さＬ１，Ｌ２（図２参照）は、ニホンジカ等の足が嵌らないような大きさとなっている。（尚、金網５が菱形金網である場合は、長さＬ１は長さＬ２に等しい。）具体的には、各網目の長さＬ１，Ｌ２は、それぞれ４０〜６０ｍｍの範囲になっており、各鉄線が、互いに７０〜１１０度の角度をなすように交差させて編み込まれている。つまり、金網５は、その各網目にニホンジカ等の足が嵌ることがないように形成されている。ニホンジカ等の足は、その幅が約３０〜５０ｍｍ、長さが約４５〜７５ｍｍ程度であるので、金網５の各網目の長さＬ１，Ｌ２が、６０ｍｍを超えると、ニホンジカ等の足が嵌る場合が増える傾向にある。逆に、長さＬ１，Ｌ２が４５ｍｍ以下になると、生育基盤３に木本類が生育したとき、幹の肥大とともに金網５がその幹に食い込み、幹折れや病害虫発生の原因となる。
【００２２】
そして、被覆材４の上に金網５を広げた後、アンカーピンＰを金網５の上面側から地山１に差し込むように打ち込んで、金網５及び被覆材４を法面２に対して固定する。また、アンカーピンＰは、地質状態にもよるが、１ｍ２あたり１〜２本の割合で打ち込む。
【００２３】
被覆材４及び金網５を法面２に対して固定すると、弾性部材としてのコイルばね６を金網５と被覆材４との間に配設する（第４工程）。コイルばね６は、スチール製であって、通常の亜鉛メッキ、又はアルミニウム合金を混合した亜鉛粉体塗料による塗装等を施されている。その結果、コイルばね６は銀白色を呈し、光沢を有するため、金網５の下方に配設しても外部から獣類によって視認されやすくなっている。また、コイルばね６の外径は、５０〜７０ｍｍであって、高さは５０〜１００ｍｍである。さらに、コイルばね６のばね定数は、６〜１０Ｎ／ｍｍである。
【００２４】
コイルばね６を金網５の下方に配設する際は、金網５を法面２から離すように引張って、コイルばね６を金網５の網目から金網５の下方に通す。そして、コイルばね６の中心軸が被覆材４及び金網５に対して垂直になるようにして、被覆材４と金網５の間に配設する
。そして、金網５をコイルばね６に圧接させる。すると、図３及び図４に示すように、コイルばね６は、金網５及び金網５を固定するアンカーピンＰによって、被覆材４に押し付けられることで支持固定され、その中心軸が法面２に対してほぼ垂直になるように配設される。その結果、図３及び図４に示すように、金網５は、アンカーピンＰが差し込まれた箇所以外の部分が被覆材４から約数ｍｍ〜１００ｍｍほど離間した状態となる。そして、金網５の上から荷重が加えられると、その荷重によりコイルばね６が圧縮して、金網５が下降（変位）するようになっている。換言すると、金網５は、コイルばね６により弾性支持される。
【００２５】
これらの工程を経て完成した緑化工基盤７に、生育基盤３から植物が生育する前において、ニホンジカ等の偶蹄目に代表される獣類が侵入する場合、ニホンジカ等は金網５を踏み込む。このとき、金網５にニホンジカ等の体重が加わることによってコイルばね６が圧縮し、ニホンジカ等が動くたびにその撓み量が変化するため、金網５はコイルばね６の弾性変形に従って浮き沈み（変位）する。これにより、ニホンジカ等は弾力感を感じ、違和感を覚える。また、ニホンジカ等にとっては、足元が不安定になって歩きづらい状態になる。このような状態では、ニホンジカ等は、警戒してそれ以上侵入しない習性があることがわかっている。このため、金網５に侵入を試みたニホンジカ等は、金網５の端部を踏みこんでも、さらに金網５の内部に侵入して植物が生育する前の生育基盤３を踏み荒らすことがない。
【００２６】
そして、所定の養生期間が経過すると、緑化工基盤７の生育基盤３からはカバープラントが生育する。生育基盤３から生育した植物は、金網５に向かって伸び、やがて各網目を通って金網５の上方に突出する。この生育した植物を食べようとして、ニホンジカ等の獣類が緑化工基盤７に侵入を試みた場合にも、ニホンジカ等は金網５の端部を踏み込み、動くたびに撓む金網５を警戒する。このため、ニホンジカ等は金網５の内部まで侵入して、植物を採食することがない。また、獣類が内部まで侵入せずに、緑化工基盤７の比較的踏み込みやすい場所（例えば、端部等）に生育する植物を食べたとしても、金網５から突出した先端だけが食べられて、金網５の下の部分は食べられない。植物は地際で食害を受けると成長不良となるが、高い位置の部分だけ食べられると回復が早いので、金網５から突出した先端が食べられても食害をできるだけ小さくできる。また、植物の新芽等は金網５の下になり、食害を受けにくいので、食害により植物の成長が妨げられることを防止できる。
【００２７】
上記実施形態によれば、以下のような効果を得ることができる。
（１）上記実施形態では、被覆材４と金網５との間にコイルばね６を設け、金網５を被覆材４から離間するように弾性支持するようにした。このため、ニホンジカ等の偶蹄目類に代表される獣類が緑化工基盤７に侵入しようとして、金網５を踏み込んだ際に、コイルばね６は、その荷重によって弾性変形する。その結果、金網５が浮き沈み（変位）するので、獣類は弾力感を感じて、違和感を覚える。また、金網５が浮き沈みすると、獣類にとって足元が不安定になり歩きづらい状態になる。従って、獣類は警戒して緑化工基盤７上に侵入しなくなる。従って、獣類により生育基盤３に生育した植物が採食される、いわゆる食害を防止することができる。また、獣類が金網５の上を歩き回るのを防止できるため、生育基盤３が踏み荒らされるのを防止することができる。このため、地山１に施工された緑化工の効果を発揮及び持続させることができる。
【００２８】
（２）上記実施形態では、被覆材４と金網５との間に設ける弾性部材を、コイルばね６とした。このため、他の一般的な弾性部材と比較して、金網５を被覆材４の上に敷設した後に、金網５の網目からコイルばね６を押し込んで配設する等、施工が容易になる。
【００２９】
（３）上記実施形態では、コイルばね６を、金網５と、金網５を固定するアンカーピン
Ｐとによって、生育基盤３及び被覆材４に支持固定するようにした。つまり、コイルばね６を固定する部品を別途用いることなく、緑化工に用いられる一般的な部材を用いてコイルばね６を固定できるので、緑化工基盤７に用いられる部材の点数を減らすことができる。
【００３０】
（４）上記実施形態では、コイルばね６は、銀白色を呈し、光沢を有するので、獣類に視認されやすい。このため、獣類に、緑化工基盤７内に異物があると認識させることにより警戒させることができる。
【００３１】
（５）上記実施形態では、コイルばね６は、高さが５０〜１００ｍｍであって、ばね定数が６〜１０Ｎ／ｍｍであるため、約５０〜８０ｋｇの体重のニホンジカ等が金網５を踏み込んだときに、コイルばね６が数ｍｍ〜数十ｍｍほど圧縮する。その結果、金網５は、コイルばね６の圧縮に応じて数ｍｍ〜数十ｍｍ下降するため、獣類に弾力感を明確に感じさせることができる。また、金網５上を歩きづらくすることができる。
【００３２】
なお、本実施形態は以下のように変更してもよい。
・上記実施形態では、生育基盤３を被覆材４にて被覆し、被覆材４と金網５との間にコイルばね６を設けた。このコイルばね６は、被覆材４を用いない緑化工基盤に配設してもよい。この場合、生育基盤３の上に金網５が敷設され、コイルばね６は前記生育基盤３及び金網５の間に設けられて、金網５を弾性支持する。
【００３３】
・上記実施形態では、緑化工基盤７に備えられる金網５は、菱形の網目を有する、いわゆる菱形金網からなる金網としたが、これを亀甲金網等にしてもよく、金網の種類は菱形金網に限定されない。
【００３４】
・上記実施形態では、金網５に、通常の亜鉛メッキ、又はアルミニウム合金を混合した亜鉛粉体塗料等を施した。また、コイルばね６には、亜鉛メッキ、アルミニウム合金塗装等を施した。これらの金網５及びコイルばね６には、これ以外の塗装方法を施してもよい。このとき、コイルばね６は少なくとも光沢を有するような塗装が施されることが望ましい。
【００３５】
・上記実施形態では、金網５の各網目の長さＬ１，Ｌ２を、それぞれ４０〜６０ｍｍとしたが、要は獣類の足が嵌らないような大きさであればよい。このため、例えば、侵入防止の対象となる獣類によって、その大きさを変えてもよい。
【００３６】
・上記実施形態では、コイルばね６の外径は、５０〜７０ｍｍであって、高さは５０〜１００ｍｍであるとした。さらに、コイルばね６のばね定数は、６〜１０Ｎ／ｍｍであるとした。コイルばね６の構成は、これに限定されるものではなく、要はニホンジカ等の獣類が金網５を踏み込んだ際に、その獣類に弾力感を明確に与えるような構成であればよい。
【００３７】
・上記実施形態では、被覆材４として、藁を紐Ｒによりすだれ状に編んだものとしたが、これを他の植物の繊維、木材等から形成されたシート又はマットにしてもよい。
・上記実施形態では、コイルばね６を被覆材４と金網５との間に挟み、金網５と圧接させることにより被覆材４（法面２）に対して固定した。これ以外に、コイルばね６と金網５を針金等で結束して固定してもよい。また、コイルばね６を被覆材４及び生育基盤３等に対して固定するピンを用いて固定してもよい。
【００３８】
・上記実施形態では、弾性部材としてコイルばね６を用いた。この他に、弾性部材として板バネ、ゴム材、蛇腹状の伸縮部材等を用いてもよい。また、弾性部材を形成する材料
として、竹材、生分解性プラスチック等の生分解性材料を用いてもよい。
【００３９】
・上記実施形態では、本発明を法面２に形成された緑化工基盤７に適用されるものとして説明したが、これを、切り土等の施工が行われていない地山の斜面や、緑化工の必要な平地に用いてもよい。
【図面の簡単な説明】
【００４０】
【図１】本実施形態の緑化工法を施工した法面を説明するための斜視図。
【図２】同法面を説明するための説明図。
【図３】同法面の縦断面図。
【図４】同法面の横断面図。
【符号の説明】
【００４１】
３…生育基盤、４…被覆材、５…保護網としての金網、６…弾性部材としてのコイルばね、７…緑化構造物としての緑化工基盤。
【図１】
2005137258.tif 000003
【図２】
2005137258.tif 000004
【図３】
2005137258.tif 000005
【図４】
2005137258.tif 000006